(57)【要約】  【課題】サイドパネルに延長パネルを合理的に後付け可能な構造を新たに採用し、これによりワークエリアの独自性を有効に高め得るようにしたワークステーションを新たに提供する。  【解決手段】サイドパネル３をデスクトップパネル２の前面側に位置づけ、その後上部および後下部をデスクトップパネル２や天板１の一部に支持させたものにおいて、サイドパネル３の前方に延長パネル４を、延長パネル連結具Ａ´，９を介して連結し、そのうちの延長パネル連結具９は、連結時にサイドパネル３の前下部を天板１の前縁１ａに係合させることとした。  【選択図】図１
2010094458.tif 000002
【特許請求の範囲】
【請求項１】
サイドパネルをデスクトップパネルの前面側に位置づけ、その後上部および後下部をデスクトップパネル又は天板の一部に支持させたものにおいて、
前記サイドパネルの前方に延長パネルを、延長パネル連結具を介して連結し、その延長パネル連結具は、連結時にサイドパネルの前下部を天板の前縁に係合させるものであることを特徴とするワークステーション。
【請求項２】
延長パネル連結具は、天板の前縁下面に回り込むようにして取り付けてある請求項１記載のワークステーション。
【請求項３】
延長パネルは、天板の前縁下面に回り込むようにして取り付けられている請求項１又は２何れかに記載のワークステーション。
【請求項４】
延長パネルは床に接地した状態で取り付けられている請求項１〜３何れかに記載のワークステーション。
【請求項５】
延長パネルはアジャスタを介して床に接地した状態で取り付けられている請求項４記載のワークステーション。
【請求項６】
延長パネル連結具は、天板幅方向に支持腕部を延在させたものであり、前記天板幅方向に沿って前記支持腕部の少なくとも離間した２箇所を天板に係合させている請求項１〜５何れかに記載のワークステーション。
【請求項７】
延長パネル連結具は、一端部をサイドパネルに固定し他端部を延長パネルの後端面に沿って延在させたパネル間連結部と、このパネル間連結部に着脱可能に係合される前記支持腕部とを具備する請求項６記載のワークステーション。
【請求項８】
前記延長パネル連結具が延長パネルの下部とパネル間連結部の下部とを連結する際の連結構造と、前記延長パネル連結具が延長パネルの上部とサイドパネルの上部とを連結する際の連結構造とに、同じ連結構造を採用している請求項１〜７何れかに記載のワークステーション。
【発明の詳細な説明】
【技術分野】
【０００１】
本発明は、ワークエリアの遮蔽性を延長パネルによって合理的に高め得るようにしたワークステーションに関するものである。
【背景技術】
【０００２】
オフィス等のワークエリアを区画するものとして、各種のパネルや間仕切りが多用されている。グループワーク等に支障を来たさない範囲でパーソナルワークにも適した環境を構築するには、完全にブース化するのではなく、デスクの周囲を部分的に間仕切りで覆ってワークエリアの独自性を高めることが有効である。
【０００３】
例えば特許文献１に示されるものは、左側面パネル、正面パネル及び右側面パネルの連結により構成される平面視略コ字状の間仕切と、天板とを備えて、側面パネルを天板よりも前方に突出させ、天板に対峙したワーカーの側方を側面パネルで覆ったワークステーションとして構成されており、通常の天板奥行き寸法と等しいサイドパネルに比べて、隣接するワーカーとの間の遮蔽性を高めることを可能にしている。側面パネルには天板支持パネルが併設されて、天板支持パネルに天板を支持させるようにしており、側面パネルの両側に天板を支持させれば、隣接する天板の間が側面パネルで仕切られた状態で天板幅方向にワークラインを形成することもできるようになっている。
【特許文献１】特開２００４−１５４３７９号公報
【発明の開示】
【発明が解決しようとする課題】
【０００４】
ところが、このような仕様のワークステーションは、大型の側面パネルを基準パーツとして用いた特殊な構造になるため、例えば天板を横連結し天板間にサイドパネルを取り付けたような通常仕様のワークステーションとは全く別個に構成する必要がある。このため、汎用性に乏しく、レイアウト変更にも制限の大きいものである。
【０００５】
このような不都合を解消するためには、天板と同じ奥行きを有する通常用いられているサイドパネルに延長パネルを取り付けてワークエリアの遮蔽性を高めることが一つの有効な手段として考えられるが、その際に単にサイドパネルに連結具を用いて延長パネルを取り付けるだけでは、延長パネルの取付強度はサイドパネルの取付強度に依存することになる。例えば、サイドパネルの後上部および後下部をデスクトップパネルや天板に支持させている構造であると、サイドパネルの前端側が天板巾方向に振れ易いし、サイドパネルが後上部をデスクトップパネルにブラケット等により固定され前下部を天板の前縁にクランプ等により固定されている構造であると、対角２点を結ぶ線を中心としてサイドパネルが回転する方向に傾倒し易く、何れにおいても延長パネルの取付強度が不足する。そして、サイドパネル自体により高い取付強度を付与した場合には、サイドパネルが単体で用いられる段階で過剰品質を招くこととなる。
【０００６】
本発明は、このような課題に着目してなされたものであって、サイドパネルに延長パネルを合理的に後付け可能な構造を新たに採用し、これによりワークエリアの独自性を有効に高め得るようにしたワークステーションを新たに提供することを目的としている。
【課題を解決するための手段】
【０００７】
本発明は、かかる目的を達成するために、次のような手段を講じたものである。
【０００８】
すなわち、本発明のワークステーションは、サイドパネルをデスクトップパネルの前面側に位置づけ、その後上部および後下部をデスクトップパネル又は天板の一部に支持させたものにおいて、前記サイドパネルの前方に延長パネルを、延長パネル連結具を介して連結し、その延長パネル連結具は、連結時にサイドパネルの前下部を天板の前縁に係合させるものであることを特徴とする。
【０００９】
このように、サイドパネルを少なくとも３点を固定すれば、サイドパネルの厚み方向への傾倒や対角２点を結ぶ線を中心とする回転の挙動は規制されるので、延長パネル連結具に、延長パネルを取り付ける役割とともに、サイドパネルを確実に固定する役割を担わせることができる。しかも、延長パネルを取り付けるときに初めてサイドパネルの前下部を天板前縁に係合させるので、サイドパネルが単体で使用されるときにサイドパネルの取付要件を増やすことにならず、過剰品質となることも有効に回避することができる。
【００１０】
延長パネル連結具を通じてサイドパネルのより適切な取付状態を実現するためには、延長パネル連結具が天板の前縁下面に回り込むようにして取り付けられていることが望ましい。
或いは、延長パネルを通じてサイドパネルのより適切な取付状態を実現するためには、延長パネルが天板の前縁下面に回り込むようにして取り付けられていることが望ましい。
【００１１】
延長パネルを、延長パネル連結具等に負荷を掛けずに安定的に配置するとともに、遮蔽効果を高めたものにするためには、延長パネルを床に接地した状態で取り付けることが望ましい。
【００１２】
延長パネルとサイドパネルとの連続性を高めるためには、延長パネルはアジャスタを介して床に接地した状態で取り付けられていることが好ましい。
【００１３】
サイドパネル及び延長パネルの天板幅方向への振れを適切に防止するためには、延長パネル連結具は、天板幅方向に支持腕部を延在させたものであり、前記天板幅方向に沿って前記支持腕部の少なくとも離間した２箇所を天板に係合させていることが効果的である。
【００１４】
好ましい実施の態様としては、延長パネル連結具が、一端部をサイドパネルに固定し他端部を延長パネルの後端面に沿って延在させたパネル間連結部と、このパネル間連結部に着脱可能に係合される前記支持腕部とを具備しているものが挙げられる。
【００１５】
コストパフォーマンスや作業性を有効に向上させるためには、前記延長パネル連結具が延長パネルの下部とパネル間連結部の下部とを連結する際の連結構造と、前記延長パネル連結具が延長パネルの上部とサイドパネルの上部とを連結する際の連結構造とに、同じ連結構造を採用していることが望ましい。
【発明の効果】
【００１６】
本発明は、以上説明した構成であるから、通常用いられているサイドパネルに延長パネルを合理的に後付けしてワークエリアの遮蔽性を高めることができ、これにより通常仕様のワークステーションとの互換性を高めて、延長パネルを取り付けるだけでブース的なワークエリアを簡単、適切に構成できるようにした、新規有用なワークステーションを提供することが可能となる。
【発明を実施するための最良の形態】
【００１７】
以下、本発明の一実施形態を、図面を参照して説明する。
【００１８】
図１に示す本実施形態のワークステーションは、天板１の後縁側にデスクトップパネル２を配置し、そのデスクトップパネル２の前面側にサイドパネル３を位置づけて構成されており、サイドパネル３の前方に更に延長パネル４を着脱可能に取り付け得るようにしている。
【００１９】
具体的に説明すると、このワークステーションの基幹となる構成は、図２に示すように、左右の端部脚５，５の後端側の内面間をデスク構造体６によって連結した構成からなる。デスク構造体６は、上縁側の近傍および下縁側の近傍に幅方向に沿って延びるレール６１，６２を有したパネル状のもので、これらのレール６１，６２は、デスク構造体６の裏面のみならず、天板１が載置される側の正面側にも同様に存している。このデスク構造体６は、天板１の下肢空間を遮蔽する幕板として機能するもので、上下のレール６１，６２を利用して図１に示す取付部材７ａを取り付け、この取付部材７ａの前方に逆Ｌ字形をなすブラケット７を取り付け可能としているほか、図２に示すように背面側に配線パネル１００を取り付けること等にも利用可能とされている。これらのレール６１、６２は、図３に示すように、開口巾を狭める方向の突出部６１ａ、６２ａを開口縁に有しており、溝底側の開口巾が突出部６１ａ、６２ａ間の開口巾よりも拡開した形態をなしている。
【００２０】
図１及び図２に示すデスクトップパネル２は、前記デスク構造体６の上端に積み上げるように載置されるもので、デスクトップパネル２の表裏には、上縁近傍に棚やタスクライト等のオプション類を取り付けるための部品取付用のレール２１が幅方向に沿って設けられている。このレール２１も、図３に示したレール６１，６２と同様、開口縁に開口巾を狭める方向の突出部２１ａが設けてある。
【００２１】
天板１は、一対の端部脚５の間に架設され、中間部をブラケット７に支持させて配置されるもので、図４に示すように、前縁１ａ近傍の下面に天板幅方向に沿って多数のスリット１１を所定ピッチで開口させている。このスリット１１は、図１に示したブラケット７のステー７１を取り付けたり、図示しないセンター引出を取り付ける場合等に利用されるものである。複数の天板を使用する場合には、天板の一端部を端部脚５に支持させ他端部を図示しない共通の中間脚に支持させて配置するか、或いは、両端部を図示しない中間脚に支持させて配置するか、何れかの態様が採られる。この場合の中間脚は、アジャスタを介して床に接地し、ステーにおいて隣接する左右の天板の側縁を同時に支持する逆Ｌ字タイプのものが用いられる。そして、この中間脚を取り付ける場合にも、前記のレール６１，６２が利用される。
【００２２】
図１及び図２に示すように、天板１の後縁１ｂとデスク構造体６の前面との間（したがって天板１の後縁１ｂとデスクトップパネル２の前面２ａとの間）には、所定の隙間δが設けられ、この隙間δが配線類の落とし込みを可能にする配線導出入空間として利用可能とされている。この配線導出入空間には、前記デスク構造体６のレール６１等を利用して、予め予定した範囲で図示しない配線カバーが着脱可能に取り付けられるようにしている。
【００２３】
一方、サイドパネル３は、天板１の奥行き寸法に略合致する奥行き寸法を有し、後端面３ａを前記デスクトップ２の前面２ａに突き当てて配置されるもので、パネル厚み方向から見て正面側及び裏面側における上縁側の近傍に幅方向に沿って延びるレール３１を有している。これら表裏のレール３１は、図５に示すようにサイドパネル３の後端面３ａ及び前端面３ｂ側に開放されており、これらのパネル端面３ａ、３ｂにもレール３２が設けられていて、表裏のレール３１はパネル端面３ａ、３ｂのレール３２を介して繋がっている。このサイドパネル３のレール３１，３２にも、前記レール６１，６２と同様、開口巾を狭める方向の突出部３１ａ、３２ａが開口縁に設けてある。サイドパネル３の後下部には配線導出入空間との兼ね合いで切欠部３ｘが設けてある。
【００２４】
そして、このサイドパネル３のうち、後上部とデスクトップパネル２の上縁部との間を図１及び図６（ａ）に示す第１のサイドパネル連結具Ａによって連結し、後下部と天板１との間を図５に示す第２のサイドパネル連結具Ｂによって連結するようにしている。
【００２５】
第１のサイドパネル連結具Ａは、図６（ａ）および図７（ａ）に示すように、サイドパネル３の後端面３ａにおけるレール３２と同じ高さ位置、更に言えばレール３２内に配置されたもので、ねじ軸ａ１の先端にプロペラナットａ２を具備していて、図７（ｂ）→（ａ）に示すようにプロペラナットａ２をパネル端面３ａから押し出すことにより突出させて、Ｔ字状に隣接するデスクトップパネル２のレール２１の開口内に挿入させ得るようにしている。そして、その位置で回転させることによって、パネル端面３ａとプロペラナットａ２との間に突出部２１ａを挟持した状態でパネル３，２同士を引き付けて連結するようにしている。プロペラナットａ２には、法線方向ｍに対して角度をもった方向ｎに沿ってねじ孔ａ３が設けてあり、サイドパネル３の上縁の上方から斜め方向にねじ軸ａ１を差し込んでプロペラナットａ１に螺合させ、締め付けることができる。本実施形態において、これらのねじ軸ａ１、プロペラナットａ２等は、サイドパネル３のコーナー部に嵌め込んだコーナーブロックＣＢ（図６及び図１２参照）内に収容されている。
【００２６】
なお、このようなコーナーブロックＣＢは、デスク構造体６にも用いられている。デスク構造体６は、図１２に概略的に示すように、左右の縦フレーム６０ａと上フレーム６０ｂとを有し、それらのコーナー部に前述したコーナーブロックＣＢを配置しているもので、このコーナーブロックＣＢには、紙面垂直方向に対向させた一対の立壁に上下連結用の第１の開口窓ｃｂ１を設け、またこの立壁と直交する底壁に上下方向に貫通する第２の開口窓ｃｂ２を設けている。このデスク構造体６の上に載せ置かれる前述したデスクトップパネル２も、基本的に同様の縦フレーム２０ａおよび上フレーム２０ｂを有し、上側のコーナー部にコーナーブロックＣＢを配置している。そして、上側のコーナーブロックＣＢの第２の開口窓ｃｂ２に連結軸ｃｒを挿し通すとともに、この連結軸ｃｒの下端に前記プロペラナットａ２と同様のプロペラナットｐｒを取り付けておき、デスクトップパネル２をデスク構造体６上に載せ置いた後、連結軸ｃｒの上端側にボルトｖを螺合させて締め付けることによって、プロペラナットｐｒを回転させて下側のコーナーブロックＣＢの第１の開口窓ｃｂ１にその先端を進入、係合させ、更にボルトを締め付けることによって、ボルトｖとプロペラナットｐｒの間を引き寄せて、デスクトップパネル２とデスク構造体６との間を連結するようにしている。なお、連結軸ｃｒは両端にネジ孔を有し、プロペラナットｐｒはボルトｖと同様、連結軸ｃｒにねじ込んで取り付けるようにしてある。前述した上フレーム２０ｂ、６０ｂはアルミ押し出し製のものであって、レール２１、６１等はその押し出し時に作り込まれている。縦フレーム２０ａ、６０ａには鉄板やアルミ押し出しによる補強材（図示省略）が適宜内設される。デスク構造体６の下端側においては、左右の縦フレーム６０ａの間にアルミ押し出し製の下フレームが設けられ、その下フレームに前述したレール６２が作り込まれている。この下フレームと前記縦フレーム６０ａとのコーナー部には前述したコーナーブロックＣＢにアジャスタ取付部を増設したものが配置され、そのアジャスタ増設部に図示しないアジャスタが取り付けられている。
【００２７】
デスク構造体６の上に載せ置かれるパネルは上記のデスクトップパネル２に限らず、アジャスタを取り付けていない状態の他のデスク構造体６であっても勿論構わない。
【００２８】
図５に示す第２のサイドパネル連結具Ｂは、サイドパネル３の後下部に取り付けた天板幅方向に延びるコ字形のブラケットｂ１と、このブラケットｂ１内に配置された可動板ｂ２と、前記ブラケットｂ１の下側水平部ｂ１１に螺合するねじ部ｂ３とを備えたクランプ構造をなすもので、ブラケットｂ１の起立部ｂ１２を天板１の後縁１ｂに当てがった状態で、コ字形のブラケットｂ１の上側水平部ｂ１３と可動板ｂ２との間に天板１を厚み方向に挟み込み、ねじ部ｂ３を回転させることによって、可動板２ｂを天板１の下面に密着させ、上側水平部ｂ１３との間に挟持するようにしたものである。そして、その上水平部ｂ１３に、天板１の奥行き方向に延びて上向きに開口するチャネル部ｂ４を一体的に設け、そのチャネル部ｂ４内にサイドパネル３の下面３ｃ側を緊密に差し込むようにしている。
【００２９】
したがって、図１に示す取付状態で、サイドパネル３は、後上部が第１のサイドパネル連結具Ａによってデスクトップパネル２に引き付けられるように連結され、後下部が第２のサイドパネル連結具Ｂによって天板１に幅方向の振れを規制され且つ天板１から突き上げ反力を受けた状態で上下方向にも固定されることとなる。さらに、サイドパネル３の前下部も前記チャネル部ｂ４に差し込まれているため、幅方向の振れ止めがなされ、サイドパネル３の前端側に上方への不自然な持ち上げ力が作用しない限り、支障のない使用状態が得られるものとなっている。なお、サイドパネル３の前下部が天板１に対して浮き上がることがあっても、下面３ｃ側がチャネル部ｂ４内に収まっていることで、多少の隙間は適切に隠蔽される。
【００３０】
このような第１のサイドパネル連結具Ａは、図６（ｂ）に示すように、サイドパネル３の前端面３ｂ側にも格納してある。図６（ａ）および図７（ａ）において図において符号ａ４で示すものはねじ軸ａ１の頭部を斜めに当てるための座板である。この座板ａ４は、パネル３内に設けた連結具収容空間内にあって拘束されておらず、図７（ｂ）に示すようにプロペラナットａ２及びねじ軸ａ１とともに自身のレール３２の溝底と同一面ないしそれ以上に没入することができるように構成されている。これは、後述するカバー部材Ｃを収める空間をレール３２内に確保するために有効となるものである。
【００３１】
ところで、上記のようにレール３１，２１を有するパネル３，２同士をＴ字状に隣接させると、レール３１，３１間に図８（ａ）に示すような隙間Ｓが生じ、その隙間Ｓは、サイドパネル３の端面３ａが突き当てられた側のデスクトップパネル２の表裏のレール２１の溝方向に開口するため、この部位から図中矢印で示すように光漏れが生じるとともに、パネル端面３ａの構造が側方に露出して、連結部分の見栄えが損なわれる。そこで、同図（ｂ）に示すように、前記隙間Ｓを隠蔽するカバー部材Ｃが、レール３１内に嵌め合わされた状態でレール３１に沿ってスライド可能に取り付けられている。
【００３２】
このカバー部材Ｃは、樹脂成形により構成されたもので、図８に示すように、上下寸法ｄ１が溝の突出部３１ａ、３１ａ間の開口寸法ｄ２よりも若干小さく、図９に示すように、左右寸法ｄ３が表裏のレール３１の溝底間の距離ｄ４にほぼ等しい面板部を有する平面視コ字形のカバー本体ｃ１（斜線部分）と、このカバー本体ｃ１に対して図１０に示す接続部ｃ２において一部がつながった状態で上下に対向する対向壁ｃ３とを有し、対向壁ｃ３のうち前記接続部ｃ２から変位した位置に上下に向けて横断面ほぼ１／４円状の支軸ｃ４を突設している。この支軸ｃ４は互いに相寄る方向に弾性変位可能とされ、一時的に弾性変形しつつレール３１の突出部３１ａ、３１ａ間の開口を介して当該レール３１の内部に収容され、その後に復元してレール３１の上壁と底壁との間に起立状態で配置されるもので、これによりカバー部材Ｃがレール３１に沿ってスライド可能に係り合うようになっている。
【００３３】
表裏のレール３１は、図８及び図９に示すようにサイドパネル３の端面３ａ、３ｂ側に開放されているため、カバー部材Ｃの一部をレール３１に係り合わせたまま図８の実線位置から想像線の位置まで移動させることにより当該カバー部材Ｃをパネル後端面３ａから突出させて相手方のレール２１内に侵入させることができ、また、図９に示すように他の一部を前端面３ｂから突出させることにより、図中想像線で示す延長パネル４との間に跨って配置することも可能とされている。また、表裏のレール３１はパネル端面３ａ、３ｂに設けたレール３２に連続しているため、カバー部材Ｃは一部をレール３１から３２に必要に応じて係り合い部を移しながら図９に矢印で示すようにパネル端面３ｂ（３ａ）側のレール３２に回り込むことや、更に反対側のレール３１に回り込むことも可能とされている。
【００３４】
延長パネル４は、図１及び図５に示すように、上縁近傍に前記サイドパネル３の表裏のレール３１と同じ構造の表裏のレール４１及び前記サイドパネル３の端面のレール３２と同じ構造の端面のレール４２を備え、下端側にアジャスタ４３を備えた大型のもので、後端面４ａをサイドパネル３の前端面３ｂに突き当てて配置され、上端をサイドパネル３及びデスクトップパネル２の上端にほぼ合致する高さに揃えて配置され得るようにしている。その際、延長パネル４の後上部とサイドパネル３の前上部との間を第１の延長パネル連結具Ａ´によって連結し、延長パネル４の後中間部ないし後下部とサイドパネル３との間を第２の延長パネル連結具９によって連結するようにしており、第２の延長パネル連結具９には、サイドパネル３の前下部を天板１の前縁１ａに同時に係合させる役割を担わせている。なお、この延長パネル４は、このワークステーションにおいて必要に応じて用いられるローパーティションをそのまま用いたものである。
【００３５】
第１の延長パネル連結具Ａ´は、延長パネル４の後端面４ａにおけるレール４２と同じ高さ位置に配置されたもので、前述した第１のサイドパネル連結具Ａと同様、ねじ軸ａ１の先端にプロペラナットａ２を具備したものが延長パネル４内に格納されており、プロペラナットａ２をパネル後端面４ａから押し出すと突出してサイドパネル３の前端面３ｂのレール３２の開口内に挿入され、その位置で回転させることによって、延長パネル４の後端面４ａとプロペラナットａ２の間にレール３２の突出部３２ａを挟持した状態でパネル４，３同士を連結することができるものである。この場合も、ねじ軸ａ１はプロペラナットａ２の法線方向に対して角度をもってねじ込むようにしてあるため、延長パネル４の上縁の上方から斜めにねじ軸ａ１を挿入して固定作業を行うことができる。図５においては省略しているが、この第１の延長パネル連結具Ａ´にも前記と同様に可動の座板ａ４が設けてあるため、この第１の延長パネル連結具Ａ´を図７（ｂ）のように退避させ、サイドパネル３の前上部側にも格納している第１のサイドパネル連結具Ａを用いることもできる。
【００３６】
第２の延長パネル連結具９は、図１及び図４に示すように、一端部をサイドパネル３に固定し他端部を延長パネル４の後端面に沿って延在させたパネル間連結部９ａと、このパネル間連結部９ａに着脱可能に係合され他の一部において天板１の前縁１ａの近傍と係り合い可能な支持腕部９ｂとを具備する。パネル間連結部９ａは、サイドパネル３の前縁近傍の下面に密着状態で連結される板状のサイドパネル取付片９１と、延長パネル４の後下半部に密着状態で連結される角パイプ状の延長パネル取付枠９２とを有したもので、サイドパネル３の前縁近傍の下面には図１１に示すようにサイドパネル取付片９１を収容する偏平な凹所３３が設けてあり、この凹所３３内に収容したサイドパネル取付片９１を下面側からサイドパネル３にネジ止めする構造になっている。延長パネル取付枠９２には、図４に示すように下端近傍に矩形状の開口窓９２ａが設けてある。延長パネル取付枠９２の上端には天板の奥行き方向に向かって傾斜するテーパ面９２ｂが形成してあり、このテーパ面９２ｂが図１１に示すように天板１の前縁１ｂの下面側に傾斜させて設けたテーパ面１０ｂに沿って緊密に配置されるようにしている。
【００３７】
また、パネル間連結部９ａの一構成要素として、図１に示す延長パネル４の後端面４ａ側には、図４に示した延長パネル取付枠９２の開口窓９２ａとほぼ同じ高さ位置に前記第１の延長パネル連結具Ａと同様の構成からなるプロペラナットａ２およびねじ軸ａ１が格納されており、プロペラナットａ２をパネル後端面４ａから押し出すと突出して延長パネル取付枠９２の開口窓９２ａ内に侵入し、その位置で回転させることによって、パネル後端面４ａとプロペラナットａ２との間に開口窓９２ａの周辺の壁面を挟持し、これにより延長パネル４の後下部とパネル間連結部９ａの延長パネル取付枠９２とを引き寄せて連結できるようにしている。ねじ軸ａ１は上記と同様、プロペラナットａ２の法線方向に対して角度をもってねじ込むようにしてあるので、延長パネル４の下縁の下方から斜め上方に向かってねじ軸ａ１を固定することができる。この実施形態では、アジャスタ４３と延長パネル４の下端４ｃとの間に脚４４が設けてあり、延長パネル４の下端４ｃと床との間の空間から上記のねじ止め作業を行うことができる。
【００３８】
一方、図４及び図１１に示す支持腕部９ｂは、一対のブラケット９３，９３の上端側に形成されるもので、ブラケット９３は基端に起立片９３ａを有し、この起立片９３ａは前記延長パネル取付枠９２の内向面に設けたスリット９２ｄを介して内部に差し込んだ状態に固定される。支持腕部９ｂは、ブラケット９３の固定状態で天板１の下面１ｃに潜り込んだ位置にほぼ水平に配置される面板部９４を有するもので、この面板部９４と前記起立片９３ａとの間は双方に対して直交する接続部９５によって接続されている。面板部９４にはブラケット９３の取付位置で先端を天板１の前縁１ｂ側に屈曲させる上向き爪９４ａが一体的に形成してあり、この上向き爪９４ａを天板１の下面１ｃに開口するスリット１１に差し込み、その状態で起立片９３ａを延長パネル取付枠９２の側壁に固定するようにしている。そのために、延長パネル取付枠９２の側壁にはねじ通過孔９２ｃが、起立片９３ａには長孔９３ａ１がそれぞれ開口しており、ねじ通過孔９２ｃ及び長孔９３ａ１を順次通過させた図示しないボルトと図示しないナットによって起立片９３ａの延長パネル取付枠９２への固定が完了するようにしている。
【００３９】
このような支持腕部９ｂを有する左右のブラケット９３は、図では同一符号を付しているが天板幅方向に対称な形状をなすもので、一方のブラケット９３をサイドパネル３よりも右側において天板１の下面１ｃに係合させ、他方のブラケット９３をサイドパネル３よりも左側において天板１の下面１ｃに係合させて取り付け、全体として支持腕部９ｂが天板幅方向に延在して、同方向に離間した２箇所を天板１に係合させた状態が得られるようにしている。パネル間連結部９ａはサイドパネル３と延長パネル４に固定され、支持腕部９ｂはパネル間連結部９ａのテーパ面９２ｂとともに天板１の前縁１ａ側を抱き込むように下面に回り込み、その位置で天板幅方向に係合するため、図５に示したチャネル部ｂ４の前端側の振れ止め効果が得られるのは勿論のこと、図４の延長パネル取付枠９２に横方向から外力が加わっても、延長パネル取付枠９２が床との間で突っ張り、また支持腕部９ｂが天板巾方向に突っ張ることによって、延長パネル取付枠９２の傾動が規制され、適切な取付状態が維持されることとなる。支持腕部９ｂはパネル間連結部９ａを介して延長パネル４やサイドパネル３と一体をなすため、延長パネル４やサイドパネル３の倒れ防止部材として働くのは勿論である。
【００４０】
支持腕部９ｂを２つのブラケット９３によって構成しているのは、例えばスチール天板と木製天板の境界で延長パネル４やサイドパネル３を取り付けるような場合に、多少の天板高さ違いに対応するためである。スリット１１には、ねじ止め構造や適宜の凹凸係合構造を代替使用することもできる。
【００４１】
延長パネル４を取り付けていないときには、サイドパネル３の前端面３ｂのスリット３２に図９に矢印で示すようにカバー部材Ｃを回り込ませれば、内部に格納しているパネル連結具Ａをレール３２とともに隠蔽することができる。また、同図中想像線で示すようにサイドパネル３に延長パネル４を連結した際には、図５に示したパネル３，４のレール３１，４１間にもパネル厚み方向の隙間が生じるが、図９の実線位置にカバー部材Ｃを配置すれば、かかる隙間も適切に隠蔽することができる。
【００４２】
サイドパネル３は上記のような取付構造であるから、デスクトップパネル２や天板１に対して天板巾方向の適宜の位置に取り付けることができる。また、延長パネル４も上記のような取付構造であるから、それに応じて、天板巾方向の適宜の位置に取り付けることができる。この実施形態では支持腕部９ｂとスリット１１とを係合させる関係上、取付位置は所定ピッチとなるが、連続的に取付位置を可変とする態様も容易に実施することができる。
【００４３】
また、図１では、ワークエリアの片側のみにサイドパネル３や延長パネル４を取り付けているが、両側にサイドパネル３や延長パネル４を取り付けることができるのは勿論である。図１と図２とは便宜的にワークステーションの前方と後方を便宜的に示したもので、サイドパネル３や延長パネル４の有無等は対応していない。
【００４４】
以上のように、実施形態のワークステーションは、サイドパネル３をデスクトップパネル２の前面側に位置づけ、その後上部および後下部をデスクトップパネル２や天板１の一部に支持させたものにおいて、前記サイドパネル３の前方に延長パネル４を、延長パネル連結具Ａ´，９を介して連結し、そのうちの延長パネル連結具９は、連結時にサイドパネル３の前下部を天板１の前縁１ａに間接的に係合させるように構成したものであって、サイドパネル３を後上部、後下部および前下部の少なくとも３点で固定することになる。このため、サイドパネル３の厚み方向への傾倒や対角２点を結ぶ線を中心とする回転の挙動を規制することができ、延長パネル連結具９に、延長パネル４を取り付ける役割とともに、サイドパネル３を確実に固定する役割を担わせることができる。しかも、延長パネル４を取り付けるときに初めてサイドパネル３の前下部を天板１の前縁１ａに係合させるので、サイドパネル３が単体で使用されるときにサイドパネル３の取付要件を増やすことにならず、過剰品質となることを有効に回避して、延長パネル４の適切な取付状態を実現することができる。
【００４５】
また、延長パネル連結具９を、天板１の前縁１ａの下面に回り込むようにして取り付けているため、クランプ等を使用する場合に比して天板面を侵さずにサイドパネル３と天板１との係合を行うことができる上に、延長パネル連結具９はサイドパネル３に一体的に取り付けられ、この延長パネル連結具９を天板１の前縁１ａの下面に回り込ませるようにしているので、サイドパネル３と天板１との間に隙間が生じようとすると延長パネル連結具９の一部が天板１の下面１ｃに突き当たってこれを規制することとなり、この点でもサイドパネル３の取付強度の向上に資することができる。
【００４６】
さらに、延長パネル４は、床に接地した状態で取り付けられるようにしているため、床に突っ張って安定させることができるのは勿論のこと、延長パネル連結具９、Ａ´に延長パネル４の荷重を掛けることを回避して適切な連結状態を得ることができ、さらに延長パネル連結具９を延長パネル４に支持させて所定の高さ位置に保持すれば、天板１の前縁１ａが垂れ下がるいわゆる前垂れ現象も有効に防止することが可能となる。
【００４７】
その際、延長パネル４はアジャスタを介して床に接地した状態で取り付けられているため、アジャスタ調整によって延長パネル４とサイドパネル３の間の適切な高さ関係や、延長パネル連結具９、Ａ´に適切な連結状態が得られる高さ関係に容易に調節することができる。
【００４８】
具体的には、延長パネル連結具９は、天板幅方向に支持腕部９ｂを延在させたものであり、前記天板幅方向に沿って支持腕部９ｂの少なくとも離間した２箇所を天板１に係合させるようにしているので、サイドパネル３や延長パネル４が天板幅方向へ傾倒しようとすると支持腕部９ｂが天板１の下面１ｃに突っ張ってこれを規制することになり、これらのパネル３，４の横振れを適切に防止することができる。
【００４９】
より具体的には、延長パネル連結具９が、一端部をサイドパネル３に固定し他端部を延長パネル４の後端面４ａに沿って延在させたパネル間連結部９ａと、このパネル間連結部９ａに対して着脱可能に係合される前記支持腕部９ｂとを具備しているので、延長パネル４をサイドパネル３に固定する機能と、サイドパネル３を天板１の前縁１ａの下面側に係合させる機能とを、良好な作業性の下に有効に両立させることができる。
【００５０】
さらにまた、前記延長パネル連結具９が延長パネル４の下部とパネル間連結部９ａの下部とを連結する際の連結構造と、前記延長パネル連結具９が延長パネル４の上部とサイドパネル３の上部とを連結する際の連結構造とに、ねじ軸ａ１やプロペラナットａ２を用いた同じ連結構造を採用しているので、部品の共用化や作業工程の共通化を通じて製造コストや施工コストの削減に有効に資することができる。
【００５１】
勿論、サイドパネル３の後上部とデスクトップパネル２との連結にも同じ連結構造が採用されるので、製造コストや施工コストの削減効果が更に有効に果たされるものとなる。
【００５２】
なお、各部の具体的な構成は、上述した実施形態のみに限定されるものではない。
【００５３】
例えば、延長パネル連結具９を天板１の前縁１ａの下面に回り込むようにして取り付ける構造に代えて、延長パネル４のうち天板１よりも低い部分を前方に突出させた形状にし、この延長パネル４の突出部分を天板１の前縁下面に回り込ませるようにして取り付けるようにしてもよい。このようにしても、延長パネル４は延長パネル連結具９を介してサイドパネル３と一体的となるため、サイドパネル３と天板１との間に隙間が生じようとする挙動を延長パネル４の自重や当該延長パネル４の突出部分の上向面によって規制することになり、サイドパネル４３の取付強度を有効に高めることができる。
【００５４】
また、サイドパネルの後上部および後下部は、ともにデスクトップパネルに支持させてもよく、ともに天板に支持させても構わない。
その他の構成も、本発明の趣旨を逸脱しない範囲で種々変形が可能である。
【図面の簡単な説明】
【００５５】
【図１】本発明の一実施形態に係るワークステーションの一部を示す斜め前方斜視図。
【図２】同実施形態に係るワークステーションの一部を示す斜め後方斜視図。
【図３】同実施形態で用いられるデスク構造体の部分断面図。
【図４】同実施形態における延長パネル連結具の取付構造を示す分解斜視図。
【図５】同実施形態におけるサイドパネルの天板への取付構造を示す分解斜視図。
【図６】同実施形態におけるサイドパネルとデスクトップパネルの間の取付構造を示す分解斜視図。
【図７】図６に対応した断面図。
【図８】同実施形態のレールを隠蔽するカバー部材の使用状態を示す斜視図。
【図９】同カバー部材の他の使用状態を示す斜視図。
【図１０】同カバー部材の部品図。
【図１１】同実施形態における拡張パネル連結具の連結状態を示す図。
【図１２】同実施形態におけるデスク構造体とデスクトップパネルとの連結構造を示す模式図。
【符号の説明】
【００５６】
１…天板
１ａ…前縁
２…デスクトップパネル
３…サイドパネル
４…延長パネル
９…延長パネル連結具
９ａ…パネル間連結部
９ｂ…支持腕部
４３…アジャスタ
【図１】
2010094458.tif 000003
【図２】
2010094458.tif 000004
【図３】
2010094458.tif 000005
【図４】
2010094458.tif 000006
【図５】
2010094458.tif 000007
【図６】
2010094458.tif 000008
【図７】
2010094458.tif 000009
【図８】
2010094458.tif 000010
【図９】
2010094458.tif 000011
【図１０】
2010094458.tif 000012
【図１１】
2010094458.tif 000013
【図１２】
2010094458.tif 000014